(57)【要約】      （修正有）【課題】広告媒体の宣伝広告効果を長期間維持できるポケットティッシュを提供する。【解決手段】ポケットティッシュは、ティッシュペーパーと、折り畳んだ複数枚のティッシュペーパーを積層した状態で収容する袋体と、袋体のティッシュペーパーの取り出し口とは反対側であって外部から視認できる位置に収容される広告媒体３０とを備える。広告媒体の表面には広告情報３１と共に情報コード３２が印刷されており、広告媒体の裏面には立体模型を構成する部品４１が印刷されており、情報コードには、立体模型の組み立て順序と完成図が掲載されたインターネット上のホームページへのアクセス情報が記録されている。ユーザーを広告主のホームページに自然に誘導することができるので情報量を増やして訴求力を増し、宣伝広告効果を高めることができる。【選択図】図２
0003225061.tif 000002
【実用新案登録請求の範囲】
【請求項１】
ティッシュペーパーと、折り畳んだ複数枚の前記ティッシュペーパーを積層した状態で収容する袋体と、前記袋体の前記ティッシュペーパーの取り出し口とは反対側であって外部から視認できる位置に収容される広告媒体とを備えるポケットティッシュにおいて、
前記広告媒体の表面には広告情報と共に情報コードが印刷されており、前記広告媒体の裏面には立体模型を構成する部品が印刷されており、
前記情報コードには、前記立体模型の組み立て順序と完成図が掲載されたインターネット上のホームページへのアクセス情報が記録されていることを特徴とするポケットティッシュ。
【請求項２】
前記情報コードがＱＲコード（登録商標）であることを特徴とする請求項1に記載のポケットティッシュ。
【考案の詳細な説明】
【技術分野】
【０００１】
本考案は、フィルム状の袋体の中に複数枚のティッシュペーパーを積層して収容すると共に外部から視認できる位置に広告媒体を収容するポケットティッシュに関する。
【背景技術】
【０００２】
ポリプロピレン等を材質とした透明や半透明の薄いフィルムで形成された袋体の中に複数枚のティッシュペーパーを折り畳んだ状態で積層して収容すると共に、ティッシュペーパーの取り出し口とは反対側であって外部から視認できる位置に広告情報を印刷した広告媒体を収容したポケットティッシュが知られている。
ポケットティッシュは商品やサービスの販売促進用として無償配布されることが多く、その宣伝広告効果を高めるために従来種々の開発が行われている。
【０００３】
例えば特許文献1には広告媒体を冊子状にしたポケットティッシュが開示されている。広告媒体を冊子状にすることで多くの広告情報を掲載できるという効果がある。
特許文献2には広告媒体に印刷した広告情報と、袋体に印刷した広告情報に関連性を持たせたポケットティッシュが開示されている。広告媒体を袋体に収容した状態と取り出した状態とで共通のイメージを持たせながら広告内容の表現に変化を与えられるという効果がある。
【先行技術文献】
【特許文献】
【０００４】
【特許文献１】実用新案登録第3104166号公報
【特許文献２】特許第3825022号公報
【考案の概要】
【考案が解決しようとする課題】
【０００５】
しかし、上記従来技術では以下の問題があった。
使用者は広告媒体を袋体から取り出さないままポケットティッシュを使用することが多いので上記従来技術の効果が充分に発揮されないという問題がある。また、使用者が広告媒体を袋体から取り出した場合でも、一度広告情報を読んだあとは広告媒体を廃棄してしまったり、再び袋体に戻してしまったりすることが多いので宣伝広告効果が短期間にしか発揮されないという問題がある。
【０００６】
本考案は上記問題に鑑み、広告媒体の宣伝広告効果を長期間維持できるポケットティッシュを提供することを課題とする。
【課題を解決するための手段】
【０００７】
本考案のポケットティッシュはティッシュペーパーと、折り畳んだ複数枚の前記ティッシュペーパーを積層した状態で収容する袋体と、前記袋体の前記ティッシュペーパーの取り出し口とは反対側であって外部から視認できる位置に収容される広告媒体とを備えるポケットティッシュにおいて、前記広告媒体の表面には広告情報と共に情報コードが印刷されており、前記広告媒体の裏面には立体模型を構成する部品が印刷されており、前記情報コードには、前記立体模型の組み立て順序と完成図が掲載されたインターネット上のホームページへのアクセス情報が記録されていることを特徴とする。
また、前記情報コードがＱＲコード（登録商標）であることを特徴とする。
【考案の効果】
【０００８】
本考案ではユーザーはホームページに掲載された立体模型の組み立て順序と完成図を参照しながら、広告媒体の裏面に印刷された部品を切り取り、組み立てることで立体模型を完成させる。広告媒体に記載した広告情報だけでは情報量が少なくてユーザーへの訴求力に欠ける場合があるが、本考案ではユーザーを広告主のホームページに自然に誘導することができるので情報量を増やして訴求力を増し、宣伝広告効果を高めることができる。また、立体模型は鑑賞用として保管される可能性が高いので、部品の一部にも広告情報を印刷しておくことで宣伝広告効果を長期間維持できる。
情報コードとしてＱＲコード（登録商標）を用いることにすれば、多量の情報を記録できると共にユーザーの情報端末装置で容易に読み取ってホームページに誘導することができるという利点がある。
【図面の簡単な説明】
【０００９】
【図１】ティッシュペーパーの正面図(a)、袋体の正面図(b)、右側面図(c)及び背面図(d)
【図２】広告媒体の表面(a)及び裏面(b)
【図３】袋体にティッシュペーパーと広告媒体を収容した状態を示す背面図(a)及び右側面図(b)
【図４】立体模型の斜視図
【考案を実施するための形態】
【００１０】
本考案のポケットティッシュの実施の形態について説明する。
図1〜図3に示すようにポケットティッシュ1はティッシュペーパー10、袋体20、広告媒体30を備える。
【００１１】
ティッシュペーパー10は折り畳まれて積層された状態で袋体20の内部に収容される。
袋体20は透明や半透明の薄いフィルムで形成された矩形状である。袋体20のフィルムに着色してもよい。袋体20の一方の面にはティッシュペーパー10の取り出し口21が形成されており、反対側の面には広告媒体30の収容部22が形成されている。
【００１２】
広告媒体30はその表面に広告情報31が印刷された紙片であり、広告情報31が外部から視認できるように表面を外側に向けた状態で収容部22に収容される。
広告媒体30の表面には更に情報コード32も印刷されている。情報コード32は多数の線、数字、セル（ドット）等をルールに則り配置したものであり、本実施の形態では情報コード32としてＱＲコード（登録商標）を用いている。
広告媒体の裏面には図4に示す立体模型40を構成する複数の部品41が印刷されている。本実施の形態の立体模型40は纏（まとい）である。纏は江戸時代に町火消の各組が用いた旗印の一種である。立体模型40の種類は特に限定されず纏のような道具以外にも例えば建物、乗り物、動物、山や海等の風景等であってもよい。
【００１３】
情報コード32にはインターネット上のホームページへのアクセス情報が記録されており、ホームページには部品41の組み立て順序、組み立てる際の注意点、立体模型40の完成図等が掲載されている。
ユーザーがスマートフォンやタブレット端末等の情報端末装置を使用して情報コード32を読み取ると広告主のホームページに誘導される。ユーザーはホームページに掲載された情報を参照しながら、広告媒体30の裏面に印刷された複数の部品41を切り取り、組み立てることで立体模型40を完成させる。ユーザーを広告主のホームページに誘導することによって宣伝広告効果を高めることができる。また、立体模型40は鑑賞用として保管される可能性が高いので、部品41の一部にも広告情報31を印刷しておくことで宣伝広告効果を長期間維持できる。
【産業上の利用可能性】
【００１４】
本考案は、広告媒体の宣伝広告効果を長期間維持できるポケットティッシュに関するものであり、産業上の利用可能性を有する。
【符号の説明】
【００１５】
1 ポケットティッシュ
10 ティッシュペーパー
20 袋体
21 取り出し口
22 収容部
30 広告媒体
31 広告情報
32 情報コード
40 立体模型
41 部品
【図１】
0003225061.tif 000003
【図２】
0003225061.tif 000004
【図３】
0003225061.tif 000005
【図４】
0003225061.tif 000006